(57)【要約】【課題】  火薬等を貯蔵する倉庫本体の爆発時における爆発片の飛散や爆風圧の拡散を抑制する貯蔵倉庫用シートを提供する。【解決手段】  （１）で示すように、貯蔵倉庫用シートである第２シート体２２は、所定平面上において上下方向に配列された第１の繊維群５１と、第１の繊維群５１に対して角度θ１が４５°となるように交差する、第１の繊維群５１に編みこまれた第２の繊維群５２とから構成されている。そして、第２シート体２２に対して第２の特定方向Ｘに力が加わると、（２）で示すように、第２の繊維群５２が第２の特定方向Ｘに近付くように傾いた状態になると共に、第１の繊維群５１の第１の繊維４７ａ〜４７ｎの間隔Ｗ２が拡大する。このように、第１の繊維群５１と第２の繊維群５２との編みこみ状態が変化することによって、第２シート体２２は第２の特定方向Ｘに伸びるため、火薬等を貯蔵する倉庫本体の爆発力がこの伸びによって吸収される。【選択図】  図４
2015143409.tif 000002
【特許請求の範囲】
【請求項１】
火薬等の貯蔵倉庫の爆発時の補強に用いられる貯蔵倉庫用シートであって、
所定平面上において第１の方向に配列された第１の繊維群と、
前記所定平面上において前記第１の方向に対して交差する第２の方向に配列され、前記第１の繊維群に編みこまれた第２の繊維群とを備え、
使用時に前記所定平面上における第１の特定方向及びこれに直交する第２の特定方向の内少なくとも一方の特定方向において伸びるように設定され、前記一方の特定方向に力が加わった時、前記第１の繊維群と前記第２の繊維群との編みこみ状態が変化する、貯蔵倉庫用シート。
【請求項２】
前記第２の方向は、前記第１の方向に対して鋭角に交差し、
前記第１の特定方向は、前記第１の方向に対して平行に設定される、請求項１記載の貯蔵倉庫用シート。
【請求項３】
前記第２の方向は、前記第１の方向に対して直交状態に交差し、
前記第１の特定方向は、前記第１の方向に対して４５°傾斜するように設定される、請求項１記載の貯蔵倉庫用シート。
【請求項４】
前記第１の繊維群及び前記第２の繊維群は、ゴムシート体に埋設される、請求項１から請求項３のいずれかに記載の貯蔵倉庫用シート。
【請求項５】
火薬等の貯蔵倉庫の爆発時の補強に用いられる貯蔵倉庫用シートであって、
第１の縦糸がこれに交差する第１の横糸に対して所定方向に編みこまれた第１の繊維層と、
前記第１の繊維層の下方に配置され、第２の縦糸がこれに交差する第２の横糸に対して前記所定方向に平行に編みこまれた第２の繊維層とを備え、
少なくとも前記第１の縦糸の一部と前記第２の横糸の一部とが係合する、貯蔵倉庫用シート。
【請求項６】
前記第２の繊維層の下方に配置され、第３の縦糸がこれに交差する第３の横糸に対して前記所定方向に平行に編みこまれた第３の繊維層を更に備え、
前記第３の縦糸の一部と前記第２の横糸の他の一部とが係合する、請求項５記載の貯蔵倉庫用シート。
【請求項７】
火薬等の貯蔵倉庫の爆発時の補強に用いられる貯蔵倉庫用シートであって、
ゴムシート体と、
前記ゴムシート体に埋設され、各々の繊維が所定方向に平行に且つ所定間隔で配置された繊維群とを備えた、貯蔵倉庫用シート。
【発明の詳細な説明】
【技術分野】
【０００１】
この発明は貯蔵倉庫用シートに関し、特に、爆発危険性を有する火薬類等を貯蔵するための貯蔵倉庫の爆発時の補強に用いられる貯蔵倉庫用シートに関するものである。
【背景技術】
【０００２】
従来の火薬類等を貯蔵するための貯蔵倉庫は、コンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
更に、特許文献１と同様に複数の密封式のチューブ群等を用いて、底部となるベース枠、屋根構造及び端壁構造よりなるエヤテント型の貯蔵倉庫が提案されている（特許文献２）。
【先行技術文献】
【特許文献】
【０００４】
【特許文献１】特公平６−２３５１８号公報
【特許文献２】実公昭６２−１９７９４号公報
【発明の概要】
【発明が解決しようとする課題】
【０００５】
上記のような従来のコンクリート製の構造体の貯蔵倉庫では、火薬類が爆発したとき、構造体の破片が飛散したり、爆風圧が拡散する虞がある。
【０００６】
又、特許文献１及び特許文献２の貯蔵倉庫では、コンクリート片の飛散等は無いものの構造が複雑であり、施工性、汎用性が高いとは言えない。
【０００７】
この発明は、上記のような課題を解決するためになされたもので、火薬等を貯蔵する倉庫本体の爆発時における爆発片の飛散や爆風圧の拡散を抑制する貯蔵倉庫用シートを提供することを目的とする。
【課題を解決するための手段】
【０００８】
上記の目的を達成するために、請求項１記載の発明は、火薬等の貯蔵倉庫の爆発時の補強に用いられる貯蔵倉庫用シートであって、所定平面上において第１の方向に配列された第１の繊維群と、所定平面上において第１の方向に対して交差する第２の方向に配列され、第１の繊維群に編みこまれた第２の繊維群とを備え、使用時に所定平面上における第１の特定方向及びこれに直交する第２の特定方向の内少なくとも一方の特定方向において伸びるように設定され、一方の特定方向に力が加わった時、第１の繊維群と第２の繊維群との編みこみ状態が変化するものである。
【０００９】
このように構成すると、少なくとも一方の特定方向が伸びるように編みこみ状態が変化する。
【００１０】
請求項２記載の発明は、請求項１記載の発明の構成において、第２の方向は、第１の方向に対して鋭角に交差し、第１の特定方向は、第１の方向に対して平行に設定されるものである。
【００１１】
このように構成すると、第１の特定方向には伸びず、第２の特定方向にのみ伸びる。
【００１２】
請求項３記載の発明は、請求項１記載の発明の構成において、第２の方向は、第１の方向に対して直交状態に交差し、第１の特定方向は、第１の方向に対して４５°傾斜するように設定されるものである。
【００１３】
このように構成すると、第１の特定方向又は第２の特定方向のいずれにも伸びる。
【００１４】
請求項４記載の発明は、請求項１から請求項３のいずれかに記載の発明の構成において、第１の繊維群及び第２の繊維群は、ゴムシート体に埋設されるものである。
【００１５】
このように構成すると、遮水効果も付与される。
【００１６】
請求項５記載の発明は、火薬等の貯蔵倉庫の爆発時の補強に用いられる貯蔵倉庫用シートであって、第１の縦糸がこれに交差する第１の横糸に対して所定方向に編みこまれた第１の繊維層と、第１の繊維層の下方に配置され、第２の縦糸がこれに交差する第２の横糸に対して所定方向に平行に編みこまれた第２の繊維層とを備え、少なくとも第１の縦糸の一部と第２の横糸の一部とが係合するものである。
【００１７】
このように構成すると、第２の横糸に係合した第１の縦糸の一部が長くなる。
【００１８】
請求項６記載の発明は、請求項５記載の発明の構成において、第２の繊維層の下方に配置され、第３の縦糸がこれに交差する第３の横糸に対して所定方向に平行に編みこまれた第３の繊維層を更に備え、第３の縦糸の一部と第２の横糸の他の一部とが係合するものである。
【００１９】
このように構成すると、第２の横糸に係合した第３の縦糸の一部が長くなる。
【００２０】
請求項７記載の発明は、火薬等の貯蔵倉庫の爆発時の補強に用いられる貯蔵倉庫用シートであって、ゴムシート体と、ゴムシート体に埋設され、各々の繊維が所定方向に平行に且つ所定間隔で配置された繊維群とを備えたものである。
【００２１】
このように構成すると、ゴムシート体の面内において、所定方向に対してその直交方向に伸びやすい。
【発明の効果】
【００２２】
以上説明したように、請求項１記載の発明は、少なくとも一方の特定方向が伸びるように編みこみ状態が変化するため、爆発力が伸びによって吸収される。
【００２３】
請求項２記載の発明は、請求項１記載の発明の効果に加えて、第１の特定方向には伸びず、第２の特定方向にのみ伸びるので、伸びる方向が限定されるため、用途に応じた使い勝手が良くなる。
【００２４】
請求項３記載の発明は、請求項１記載の発明の効果に加えて、第１の特定方向又は第２の特定方向のいずれにも伸びるため、用途に応じて効率的な使用が可能になる。
【００２５】
請求項４記載の発明は、請求項１から請求項３のいずれかに記載の発明の効果に加えて、遮水効果も付与されるため、遮水シートを別途設ける必要が無くなり、コスト的に有利となる。
【００２６】
請求項５記載の発明は、第２の横糸に係合した第１の縦糸の一部が長くなるので、所定方向に伸びやすくなるため、爆発の衝撃の吸収力が向上する。
【００２７】
請求項６記載の発明は、請求項５記載の発明の効果に加えて、第２の横糸に係合した第３の縦糸の一部が長くなるので、第１の繊維層及び第３の繊維層が所定方向に伸びやすくなるため、爆発の衝撃をより安定して吸収する。
【００２８】
請求項７記載の発明は、ゴムシート体の面内において、所定方向に対してその直交方向に伸びやすいため、爆発状況に応じて爆発の衝撃を効率的に吸収できる。
【図面の簡単な説明】
【００２９】
【図１】この発明の第１の実施の形態による貯蔵倉庫用シートを用いた貯蔵倉庫の外観形状を示す平面図である。
【図２】図１で示したＩＩ−ＩＩラインの断面図である。
【図３】図２で示したＩＩＩ−ＩＩＩラインから見た第２シート体の拡大平面図である。
【図４】図３で示した第２シート体に対して引張力が生じた場合の第１の繊維群と第２の繊維群との編みこみ状態の変化を示す図である。
【図５】この発明の第２の実施の形態による貯蔵倉庫用シートの平面図である。
【図６】図５で示した第２シート体に対して引張力が生じた場合の編みこみ状態の変化を示す図である。
【図７】この発明の第３の実施の形態による貯蔵倉庫用シートの概略断面図である。
【図８】図７で示した第２シート体に対して引張力が生じた場合の編みこみ状態の変化を示す図である。
【図９】図２で示した貯蔵倉庫用シートを用いた他の貯蔵倉庫の概略断面図である。
【図１０】図２で示した貯蔵倉庫用シートを用いた更に他の貯蔵倉庫の概略断面図である。
【図１１】この発明の第４の実施の形態による貯蔵倉庫用シートを用いた貯蔵倉庫の概略断面図である。
【図１２】図１１で示したＸＩＩ−ＸＩＩラインから見た貯蔵倉庫用シートの拡大平面図である。
【図１３】図１２で示したＸＩＩＩ−ＸＩＩＩラインの断面図である。
【図１４】この発明の第５の実施の形態による貯蔵倉庫用シートの平面図である。
【図１５】図１２で示した貯蔵倉庫用シートを用いた他の貯蔵倉庫の概略断面図である。
【発明を実施するための形態】
【００３０】
図１はこの発明の第１の実施の形態による貯蔵倉庫用シートを用いた貯蔵倉庫の外観形状を示す平面図であり、図２は図１で示したＩＩ−ＩＩラインの断面図である。
【００３１】
これらの図を参照して、貯蔵倉庫１１の中心となる、火薬類等が貯蔵されている倉庫本体１９は、地面である設置面７上に設置されている。倉庫本体１９は、その材質は限定しないが、以下に述べるようなその外面に設置する構造体等を保持できるような強度を有する構造であれば良い。
【００３２】
倉庫本体１９の外面であって設置面７より上の面が第１土層３１で覆われており、その外面が第１シート体２１によって覆われている。第１シート体２１は総ゴム製の遮水シートが用いられており、第１シート体２１の内方側に位置する倉庫本体１９及び第１土層３１への雨水等の浸入を阻止する遮水機能を有している。
【００３３】
又、第１シート体２１の外面は第２土層３２で覆われており、その外面が貯蔵倉庫用シートである第２シート体２２によって覆われている。更に、第２シート体２２の外面は第３土層３３で覆われている。第２シート体２２は織布よりなる補強用シートが用いられており、倉庫本体１９の爆発時における第２土層３２の飛散を抑えるように、その網目間隔、繊維強度及び後述する編みこみ構造の変化による伸び具合等が決定されている。即ち、第２シート体２２は爆発抑制機能を有している。尚、第２シート体２２の具体的な構造については後述する。
【００３４】
又、第２シート体２２の設置面７側の端部となる平坦部４１ａ、４１ｂの各々は、固定手段の一例となるアンカーボルト等の複数の固定部材４２ａ、４２ｂによって長手方向（図２の貫通方向）に連続的に設置面７に固定されている。平坦部４１ａ、４１ｂの幅や強度及び固定部材４２ａ、４２ｂの設置間隔は、爆風圧の大きさによって設定すれば良い。
【００３５】
次に、この貯蔵倉庫１１における安全性について説明する。
【００３６】
倉庫本体１９に収納されている火薬類がなんらかの原因で爆発すると、周囲にその破片が飛散したり爆風が拡散する。しかし、倉庫本体１９の設置面７より上の周囲は第２シート体２２で覆われているため、破片や爆風は第２シート体２２により抑制される。又、第２シート体２２は倉庫本体１９の外方を覆うと共に、その平坦部４１ａ、４１ｂが設置面７に固定されているため、第２シート体２２は爆風等によって捲りあがることが無い。その結果、第２シート体２２が破損しない状態では、倉庫本体１９を包囲した第２シート体２２に伝達された爆風等の外部への拡散が抑制されるため、周囲の安全性が向上する。尚、設置面７の方向に拡散した爆風は地面に吸収され、設置面７より上の周囲に影響を与えることは無い。
【００３７】
尚、第１シート体２１も倉庫本体１９を包囲するように設置されているが、第１シート体２１はあくまで遮水機能としての役割を果たすものである。従って、倉庫本体１９の爆発を抑制する機能を有する必要は無く、爆風等によって外部に拡散する虞がある強度であっても良い。
【００３８】
又、第１シート体２１は遮水性を有しているため、第１シート体２１の内方側に位置する倉庫本体１９及び第１土層３１に雨水等が浸透することは無い。従って、倉庫本体１９内の火薬類の湿潤が防止される。更に、第１土層３１内の含水率が維持される。即ち、第１土層３１の粘性が保持されるため、第１土層３１の崩壊が防止される。
【００３９】
このように、貯蔵倉庫１１においては、第１シート体２１と第２シート体２２とが遮水機能と爆発抑制機能とを分担している。従って、例えばゴムシートの内部に織布を埋設したような、遮水機能と爆発抑制機能とが一体化したシート体を１枚用いる貯蔵倉庫の場合に比べて、効率的な配置が可能となる。即ち、各々の機能を要する範囲に第１シート体２１と第２シート体２２とを設置すれば良いため、第１シート体２１と第２シート体２２との設置範囲に無駄が無くなる。
【００４０】
又、第２シート体２２の外面が第３土層３３によって覆われているため、第２シート体２２の設置状態が安定すると共に、倉庫本体１９の爆発によって伝達された爆風等による第２シート体２２の浮き上がりが、第３土層３３によって確実に防止されることになる。従って、第２シート体２２の爆発抑制機能が更に向上し、貯蔵倉庫１１の信頼性が向上する。
【００４１】
尚、第１土層３１、第２土層３２及び第３土層３３の土の種類や施工厚さは、倉庫本体１９内に貯蔵される火薬類の爆発力による第２シート体２２への影響などに応じて、種々の構造に決定すれば良い。
【００４２】
又、このような貯蔵倉庫１１は、図２の二点鎖線で示すように、地下に設置される貯蔵倉庫１１に対しても同様に適用することができる。以下に、上述した地上に設置される貯蔵倉庫１１と相違する点を中心に説明する。
【００４３】
図２を参照して、倉庫本体１９は、地面５を掘削して形成された掘削底面である設置面７上に設置されている。又、第２シート体２２の外面は、その上面が地面５に整列した第３土層３３によって覆われている。即ち、掘削側面４４ａ、４４ｂを含め掘削部分の残りが全て第３土層３３で埋められることになる。尚、このような第３土層３３を第２シート体２２の固定手段とし、第２シート体２２の平坦部４１ａ、４１ｂを設置面７上に固定しても良い。その場合、上述したアンカーボルト等の固定部材４２ａ、４２ｂは無くても良い。又は、第３土層３３と固定部材４２ａ、４２ｂとを併せて固定手段として使用しても良い。
【００４４】
尚、このような地下に設置される貯蔵倉庫１１における効果については、上述した地上に設置される貯蔵倉庫１１と同様であることは言うまでも無い。
【００４５】
次に、第２シート体２２の構造について説明する。
【００４６】
図３は図２で示したＩＩＩ−ＩＩＩラインから見た第２シート体の拡大平面図である。
【００４７】
図を参照して、第２シート体２２は、所定平面上（図の紙面上）において上下方向に設定される第１の方向に配列された、第１の繊維４７ａ〜４７ｎよりなる第１の繊維群５１と、所定平面上において第１の方向に対して角度θ１に交差する第２の方向に配列され、第１の繊維群５１に編みこまれた第２の繊維４８ａ〜４８ｎよりなる第２の繊維群５２とから構成されている。尚、この実施の形態においては、θ１は４５°となるように設定されているが、θ１は鋭角となるように設定されていれば良い。
【００４８】
このように構成された第２シート体２２においては、上述した第１の方向と平行に設定された第１の特定方向Ｙに伸びる力が加わった場合、第１の繊維群５１がその配列方向である第１の方向に引っ張られることになる。従って、第２シート体２２は第１の繊維群５１が有する第１の繊維４７ａ〜４７ｎの素材自体による伸びを除いては、第１の特定方向Ｙに伸びることは無い。
【００４９】
一方、第１の特定方向Ｙに直交する第２の特定方向Ｘに伸びる力が加わった場合、第２シート体２２はその第１の繊維群５１と第２の繊維群５２との編みこみ状態が変化することで、第２の特定方向Ｘに伸びるように設定されている。このような第１の繊維群５１と第２の繊維群５２との編みこみ状態の変化について、以下に説明する。
【００５０】
図４は図３で示した第２シート体に対して引張力が生じた場合の第１の繊維群と第２の繊維群との編みこみ状態の変化を示す図であって、（１）は通常状態を示すものであり、（２）は第２の特定方向に力が加わった状態を示すものである。
【００５１】
まず（１）を参照して、通常状態の第２シート体２２においては、図３で示した通り、第１の繊維群５１に対して第２の繊維群５２が角度θ１に交差して編みこまれている。そして、θ１は４５°となるように設定されている。
【００５２】
又、通常状態における第１の繊維群５１の第１の繊維４７ａ〜４７ｎの各々の第２の特定方向Ｘの間隔はＷ１である。更に、隣接する第１の繊維４７ａ〜４７ｎと交差する範囲における第２の繊維４８ａ〜４８ｎの各々の長さはＬ１である。従って、第１の繊維４７ａ〜４７ｎの各々の第２の特定方向Ｘの間隔Ｗ１は、
Ｗ１＝Ｌ１・ｓｉｎθ１・・・・・・・・・・（１）
と表すことができる。
【００５３】
そして、第２シート体２２の所定範囲における第２の特定方向Ｘの長さをＡ１、第１の特定方向Ｙの長さをＢ１とする。
【００５４】
このような通常状態から、第２シート体２２に対して第２の特定方向Ｘに伸びるように力が加わると、（２）で示す状態となる。
【００５５】
次に（２）を参照して、図の矢印で示すように第２の特定方向Ｘに力が加えられた第２シート体２２は、第１の繊維群５１と第２の繊維群５２との編みこみ状態が変化することで、第２の特定方向Ｘに伸びた状態となる。
【００５６】
具体的には、第２の繊維群５２は、通常状態において第１の繊維群５１に対して角度θ１に交差していた状態から、上述した第２の繊維４８ａ〜４８ｎの各々の一部の長さＬ１は変わらずに、その傾きが第２の特定方向Ｘに近づくように変化する。即ち、第２の繊維群５２は第１の繊維群５１に対して角度θ１より大きな角度θ２に交差する状態となる。
【００５７】
すると、第１の繊維４７ａ〜４７ｎの各々の第２の特定方向Ｘの間隔Ｗ２は、
Ｗ２＝Ｌ１・ｓｉｎθ２・・・・・・・・・・（２）
となる。
【００５８】
上述した通り、角度θ２は通常状態の角度θ１より大きく、角度θ１及び角度θ２は共に鋭角であるため、ｓｉｎθ２はｓｉｎθ１より大きな値となる。この条件を（１）式及び（２）式に当て嵌めると、
Ｗ２＞Ｗ１・・・・・・・・・・（３）
となる。
【００５９】
つまり、第１の繊維群５１の第１の繊維４７ａ〜４７ｎの各々の第２の特定方向Ｘの間隔が、（１）で示す通常状態の間隔Ｗ１より長い間隔Ｗ２となるように拡大することが可能となる。そして、第１の繊維群５１の第１の繊維４７ａ〜４７ｎの各々の間隔Ｗ２が拡大することによって、第２シート体２２の所定範囲の第２の特定方向Ｘの長さＡ２も拡大する。このような編みこみ状態の変化によって、第２シート体２２は第２の特定方向Ｘに伸びることになる。従って、火薬等が貯蔵される倉庫本体からの爆発力が第２シート体２２の第２の特定方向Ｘへの伸びによって吸収されることになるため、第２シート体２２が破断し難くなり、その爆発抑制機能が向上する。
【００６０】
尚、（２）で示す状態においては、第１の特定方向Ｙに配列された第１の繊維群５１の第１の繊維４７ａ〜４７ｎの各々は、その間隔Ｗ２のみに影響を受けることになり、第１の特定方向Ｙに対しては影響を受けることが無い。従って、第２シート体２２の所定範囲の第１の特定方向Ｙの長さＢ１は通常状態から変化しない。即ち、第２シート体２２は第１の特定方向Ｙには伸びず、第２の特定方向Ｘにのみ伸びることになる。従って、第２シート体２２の伸びる方向が第２の特定方向Ｘに限定されるため、貯蔵倉庫を設置する現場の種々の用途に応じた使い勝手が良くなる。
【００６１】
図５はこの発明の第２の実施の形態による貯蔵倉庫用シートの平面図であって、第１の実施の形態の図３に対応するものである。
【００６２】
尚、この実施の形態による貯蔵倉庫用シートである第２シート体２３を備える貯蔵倉庫にあっては、図２で示す貯蔵倉庫の第２シート体の構造を除いては同一であるため、ここでは第２シート体２３を中心に説明する。
【００６３】
図を参照して、この実施の形態による第２シート体２３は、所定平面上（図の紙面上）において第１の特定方向Ｙに対して４５°傾斜する第１の方向に配列された、第１の繊維４７ａ〜４７ｎよりなる第１の繊維群５１と、所定平面上において第１の方向に対して直交状態に交差する第２の方向に配列され、第１の繊維群５１に編みこまれた第２の繊維４８ａ〜４８ｎよりなる第２の繊維群５２とから構成されている。
【００６４】
このように構成された第２シート体２３における第１の繊維群５１と第２の繊維群５２との編みこみ状態の変化がもたらす第２シート体２３の伸びについて、以下に説明する。
【００６５】
図６は図５で示した第２シート体に対して引張力が生じた場合の編みこみ状態の変化を示す図であって、（１）は通常状態を示すものであり、（２）は第２の特定方向に力が加わった状態を示すものである。
【００６６】
まず（１）を参照して、通常状態の第２シート体２３においては、図５で示した通り、第１の繊維群５１の第１の繊維４７ａ〜４７ｎは、第１の特定方向Ｙに対して４５°傾斜するように配列されている。更に、第１の繊維群５１に対して第２の繊維群５２が直交状態に交差して編みこまれている。即ち、図で示す角度θ１は９０°となるように設定されている。
【００６７】
又、通常状態における第１の繊維群５１の第１の繊維４７ａ〜４７ｎの各々における第２の特定方向Ｘの間隔はＷ１であり、第１の特定方向Ｙの間隔はＨ１である。更に、隣接する第１の繊維４７ａ〜４７ｎと交差する範囲における第２の繊維４８ａ〜４８ｎの各々の長さはＬ１である。
【００６８】
従って、第１の繊維４７ａ〜４７ｎの各々の第２の特定方向Ｘの間隔Ｗ１は、
Ｗ１＝２Ｌ１・ｃｏｓ（θ１／２）・・・・・・・・・・（４）
と表すことができる。
【００６９】
更に、第１の繊維４７ａ〜４７ｎの各々の第１の特定方向Ｙの間隔Ｈ１は、
Ｈ１＝２Ｌ１・ｓｉｎ（θ１／２）・・・・・・・・・・（５）
と表すことができる。
【００７０】
そして、第２シート体２３の所定範囲における第２の特定方向Ｘの長さをＡ１、第１の特定方向Ｙの長さをＢ１とする。
【００７１】
このような通常状態から、第２シート体２３に対して第２の特定方向Ｘに伸びるような力が加わると、（２）で示す状態となる。
【００７２】
次に（２）を参照して、図の矢印で示すように第２の特定方向Ｘに力が加えられた第２シート体２３は、第１の繊維群５１と第２の繊維群５２との編みこみ状態が変化することで、第２の特定方向Ｘに伸びた状態となる。
【００７３】
具体的には、第１の繊維群５１は、通常状態において第１の特定方向Ｙに４５°傾斜して配列された状態から、上述した第２の繊維４８ａ〜４８ｎの各々の一部の長さＬ１は変わらずに、その傾きが第２の特定方向Ｘに近づくように変化する。尚、第２の繊維群５２の第２の繊維４８ａ〜４８ｎにおいても、第２の特定方向Ｘに近づくように第１の繊維４７ａ〜４７ｎに対してその傾きが対称的に変化する。即ち、第２の繊維群５２は第１の繊維群５１に対して角度θ１より小さな角度θ２に交差する状態となる。
【００７４】
すると、第１の繊維４７ａ〜４７ｎの各々の第２の特定方向Ｘの間隔Ｗ２は、
Ｗ２＝２Ｌ１・ｃｏｓ（θ２／２）・・・・・・・・・・（６）
となる。
【００７５】
更に、第１の繊維４７ａ〜４７ｎの各々の第１の特定方向Ｙの間隔Ｈ２は、
Ｈ２＝２Ｌ１・ｓｉｎ（θ２／２）・・・・・・・・・・（７）
となる。
【００７６】
上述した通り、角度θ２は通常状態の角度θ１より小さく、角度θ１／２及び角度θ２／２は共に鋭角であるため、ｃｏｓ（θ２／２）はｃｏｓ（θ１／２）より大きな値になると共に、ｓｉｎ（θ２／２）はｓｉｎ（θ１／２）より小さな値になる。そして、この条件を（４）式及び（６）式に当て嵌めると、
Ｗ２＞Ｗ１・・・・・・・・・・（８）
となる。更に、上述した条件を（５）式及び（７）式に当て嵌めると、
Ｈ１＞Ｈ２・・・・・・・・・・（９）
となる。
【００７７】
つまり、第１の繊維群５１の第１の繊維４７ａ〜４７ｎにおける各々の第２の特定方向Ｘの間隔Ｗ２は、（１）で示す通常状態の間隔Ｗ１より長くなる。従って、第１の繊維群５１の第１の繊維４７ａ〜４７ｎにおける各々の間隔Ｗ２が拡大することによって、第２シート体２２の所定範囲の第２の特定方向Ｘの長さＡ２が拡大することになる。このような編みこみ状態の変化によって、第２シート体２２が第２の特定方向Ｘに伸びることになるため、第２シート体２２の爆発抑制機能が向上する。
【００７８】
そして、これと同時に第１の繊維群５１の第１の繊維４７ａ〜４７ｎにおける各々の第１の特定方向Ｙの間隔Ｈ２は、（１）で示す通常状態の間隔Ｈ１より短くなる。従って、第２シート体２２の所定範囲の第１の特定方向Ｙの長さＢ２が縮むことになる。
【００７９】
更に、第２シート体２３においては、第１の特定方向Ｙに力が加わった場合であっても、上述した第２の特定方向Ｘに力が加わった時と同様にその編みこみ状態が変化することになる。即ち、第２シート体２３は第１の特定方向Ｙ又は第２の特定方向Ｘのいずれにも伸びるため、貯蔵倉庫を設置する現場の種々の用途に応じて効率的な使用が可能になる。
【００８０】
図７はこの発明の第３の実施の形態による貯蔵倉庫用シートの概略断面図であって、第１の実施の形態の図２の拡大図に対応するものである。
【００８１】
尚、この実施の形態による貯蔵倉庫用シートである第２シート体２４を備える貯蔵倉庫にあっては、図２で示す貯蔵倉庫の第２シート体の構造を除いては同一であるため、ここでは第２シート体２４を中心に説明する。
【００８２】
図を参照して、この実施の形態による第２シート体２４は、所定平面上（図の水平面）において所定方向Ｘに配列された複数の第１の縦糸６１と、第１の縦糸６１に直交状態（図の貫通方向）に交差して編みこまれた複数の第１の横糸７１とからなる第１の繊維層５５を備えている。又、第１の繊維層５５の下方（図の下側）に配置され、所定方向Ｘに配列された複数の第２の縦糸６２と、第２の縦糸６２に直交状態（図の貫通方向）に交差して編みこまれた複数の第２の横糸７２とからなる第２の繊維層５６を備えている。更に、第２の繊維層５６の下方に配置され、所定方向Ｘに配列された複数の第３の縦糸６３と、第３の縦糸６３に直交状態（図の貫通方向）に交差して編みこまれた複数の第３の横糸７３とからなる第３の繊維層５７を備えている。
【００８３】
又、第１の繊維層５５の第１の縦糸６１の一部６５と、第２の繊維層５６の第２の横糸７２の一部７５とが係合している。更に、第３の繊維層５７の第３の縦糸６３の一部６６と、第２の繊維層５６の第２の横糸７２における第１の縦糸６１に係合する一部７５を除く他の一部７６とが係合している。
【００８４】
このように構成された第２シート体２４における編みこみ状態の変化がもたらす所定方向Ｘへの伸びについて、以下に説明する。
【００８５】
図８は図７で示した第２シート体に対して引張力が生じた場合の編みこみ状態の変化を示す図であって、（１）は通常状態を示すものであり、（２）は所定方向に力が加わった状態を示すものである。
【００８６】
まず（１）を参照して、通常状態の第２シート体２４においては、上述した通り、第１の繊維層５５の第１の縦糸６１の一部６５と、第２の繊維層５６の第２の横糸７２の一部７５とが係合している。従って、第１の縦糸６１の一部６５が、第１の横糸７１から第２の横糸７２までの距離Ｄ分だけ下方側に長くなる。第２の横糸７２の他の一部７６と係合する第３の繊維層５７の第３の縦糸６３の一部６６も同様である。
【００８７】
このような通常状態から、第２シート体２４に対して所定方向Ｘに伸びるような力が加わると、（２）で示す状態となる。
【００８８】
次に（２）を参照して、所定方向Ｘに力が加えられた第２シート体２４は、第１の繊維層５５、第２の繊維層５６及び第３の繊維層５７の編みこみ状態が変化することで、所定方向Ｘに伸びた状態となる。
【００８９】
具体的には、（１）で示した第２の横糸７２の一部７５と係合する第１の縦糸６１の一部６５が長くなっているため、所定方向Ｘに加わる力によって図の矢印で示すように上方へと引き上げられる。これに伴って、第１の縦糸６１が所定方向Ｘに伸びることになる。そして、第３の縦糸６３においても、第１の縦糸６１と同様の作用が生じる。すると、第２の繊維層５６の第２の縦糸６２もこれらに追従して所定方向Ｘに伸びることになる。このように、第２シート体２４は所定方向Ｘに伸びやすい構造となるため、倉庫本体の爆発による衝撃の吸収力が向上する。又、上面側に位置する第１の繊維層５５及び下面側に位置する第３の繊維層５７が所定方向Ｘに伸びやすくなるため、爆発による衝撃をより安定して吸収することができる。
【００９０】
尚、このような編みこみ構造は所定方向Ｘを基準として構成されているが、例えば所定方向を図の貫通方向に変更等することで、第２シート体２４は他の所定方向に対して伸びやすい構造となる。又は、異なる二方向を共に基準として、このような編みこみ構造を構成することで、二方向に対して伸びやすくすることができる。
【００９１】
図９は図２で示した貯蔵倉庫用シートを用いた他の貯蔵倉庫の概略断面図であって、図２に対応するものである。
【００９２】
この貯蔵倉庫１２にあっては、第１シート体２１の設置位置及び設置形状を除いては、図２で示した貯蔵倉庫と同一である。即ち、倉庫本体１９の外面は、土層を介さずに直接第１シート体２１に覆われている。
【００９３】
このような貯蔵倉庫１２においては、第１シート体２１で直接倉庫本体１９を遮水することになるため、図２で示した貯蔵倉庫に比べて、第１シート体２１の使用量を抑えることができる。即ち、コスト的に有利な貯蔵倉庫１２となる。
【００９４】
尚、第１シート体２１より外方側の構造については、図２で示した貯蔵倉庫と同一であるため、同様の効果を発揮することは言うまでも無い。
【００９５】
更に、図２で示した貯蔵倉庫と同様、図で示す地上に設置される場合に限らず、貯蔵倉庫１２は地下に設置される場合であっても同様に適用することができる。
【００９６】
図１０は図２で示した貯蔵倉庫用シートを用いた更に他の貯蔵倉庫の概略断面図であって、図２に対応するものである。
【００９７】
この貯蔵倉庫１３にあっては、第２シート体２２の設置形状を除いては、地下に設置される図２で示した貯蔵倉庫と同一である。即ち、第１シート体２１の外面が第２土層３２で覆われており、第２土層３２の上面３８には平面状に設置された第２シート体２２が設置されている。そして、第２シート体２２の上面が第３土層３３によって覆われている。
【００９８】
そして、平面状に設置された第２シート体２２は、その上面が第３土層３３によって覆われているため、爆発時における捲り上がりが防止される。従って、爆発時の第２土層３２の上方への飛散を抑制することができると共に、広範囲に亘る地表面での土層等の飛散を抑制することができる。
【００９９】
図１１はこの発明の第４の実施の形態による貯蔵倉庫用シートを用いた貯蔵倉庫の概略断面図であって、図２に対応するものであり、図１２は図１１で示したＸＩＩ−ＸＩＩラインから見た貯蔵倉庫用シートの拡大平面図であり、図１３は図１２で示したＸＩＩＩ−ＸＩＩＩラインの断面図である。
【０１００】
これらの図を参照して、火薬類等が設置されている倉庫本体１９の外面であって設置面７より上の面が第１土層３１で覆われており、その外面が貯蔵倉庫用シートであるシート体２５によって覆われている。更に、シート体２５の外面が第２土層３２で覆われている。
【０１０１】
シート体２５は、図３で示した第２シート体２２を構成する繊維シートである織布２６がゴムシート体２７に埋設されたものが使用されている。即ち、遮水機能と爆発抑制機能とを併せ持つ一体型のシート体２５となる。又、上述した通り、織布２６は図１２で示す第１の特定方向Ｙには伸びず、第２の特定方向Ｘにのみ伸びるように構成されているため、ゴムシート体２７が持つ弾性機能が阻害される虞が無い。
【０１０２】
又、シート体２５の設置面７側の端部となる平坦部４１ａ、４１ｂの各々は、固定手段の一例となるアンカーボルト等の複数の固定部材４２ａ、４２ｂによって長手方向に連続的に設置面７に固定されている。
【０１０３】
このように、遮水機能と爆発抑制機能とを併せ持つシート体２５によって、図２で示した貯蔵倉庫と同様に、倉庫本体１９及び第１土層３１への雨水等の浸入を防止すると共に、倉庫本体１９の爆発による第１土層３１の飛散を抑制することができる。従って、図２で示した貯蔵倉庫のように遮水機能を有するシート体を別途設ける必要が無くなり、コスト的に有利な貯蔵倉庫１４となる。
【０１０４】
尚、図２で示した貯蔵倉庫と同様、図で示す地上に設置される場合に限らず、貯蔵倉庫１４は地下に設置される場合であっても同様に適用することができる。
【０１０５】
図１４はこの発明の第５の実施の形態による貯蔵倉庫用シートの平面図であって、第４の実施の形態の図１２に対応するものである。
【０１０６】
尚、この実施の形態による貯蔵倉庫用シートであるシート体２８を備える貯蔵倉庫にあっては、図１１で示す貯蔵倉庫のシート体２５の構造を除いては同一であるため、ここではシート体２８の構造を中心に説明する。
【０１０７】
図を参照して、この実施の形態によるシート体２８は、ゴムシート体２７と、繊維４９ａ〜４９ｎの各々が所定方向Ｙに平行に且つ所定間隔Ｗで配置された、ゴムシート体２７に埋設された繊維群５９とから構成されている。このように構成されたシート体２８は、所定方向Ｙに対して直交する方向Ｘに力が加わった場合、繊維群５９の繊維４９ａ〜４９ｎの各々の所定間隔Ｗが拡がるため、ゴムシート体２７の面内において方向Ｘに伸びやすくなる。従って、ゴムシート体２７の弾性機能を阻害する虞が無く、爆発状況に応じて爆発の衝撃を効率的に吸収することが可能となる。
【０１０８】
尚、シート体２８は、例えば繊維４９ａ〜４９ｎが所定方向Ｙに対して４５°に交差するように配置された繊維群５９が埋設されたゴムシート体を、図で示すゴムシート体２７の表面に接着して重ねて一体化する等、埋設された繊維４９ａ〜４９ｎの配置形状が異なる種々のゴムシート体２７を複数枚積層した構造であっても良い。具体的には、複数枚のゴムシート体２７で構成されたシート体２８の平面視における繊維４９ａ〜４９ｎの透視状態が、図３又は図５で示したシート体の繊維配置と同一になるような構造であっても良い。
【０１０９】
図１５は図１２で示した貯蔵倉庫用シートを用いた他の貯蔵倉庫の概略断面図であって、図１１に対応するものである。
【０１１０】
この貯蔵倉庫１５にあっては、シート体２５の設置位置及び設置形状を除いては、図１１で示した貯蔵倉庫と同一である。即ち、倉庫本体１９の外面は、土層を介さずに直接シート体２５に覆われている。
【０１１１】
このような貯蔵倉庫１５においては、シート体２５で直接倉庫本体１９を遮水すると共にその爆発を抑制することになるため、図１１で示した貯蔵倉庫に比べて、シート体２５の使用量を抑えることができる。即ち、コスト的に有利な貯蔵倉庫１５となる。
【０１１２】
尚、図１１で示した貯蔵倉庫と同様、図で示す地上に設置される場合に限らず、貯蔵倉庫１５は地下に設置される場合であっても同様に適用することができる。
【０１１３】
尚、上記の第１及び第２の実施の形態では、第１の繊維群と第２の繊維群とは特定の配列構造で構成されているが、第１の特定方向及び第２の特定方向の内少なくとも一方の特定方向において伸びるように設定され、一方の特定方向に力が加わった時、第１の繊維群と第２の繊維群との編みこみ状態が変化するように構成されていれば、第１の繊維群と第２の繊維群とは他の配列構造であっても良い。
【０１１４】
又、上記の第３の実施の形態では、第２の繊維層の下方に第３の繊維層が配置されているが、第３の繊維層は無くても良い。又は、例えば第３の繊維層と同じ要領で、第３の繊維層の下方に第４の繊維層を配置するように構成しても良い。
【０１１５】
更に、上記の第４の実施の形態では、ゴムシート体には第１の実施の形態による貯蔵倉庫用シートが埋設されているが、ゴムシート体には第２の実施の形態による貯蔵倉庫用シートが埋設されていても良いことは言うまでも無い。
【符号の説明】
【０１１６】
１１〜１５…貯蔵倉庫
２２〜２４…第２シート体
２５、２８…シート体
２７…ゴムシート体
５１…第１の繊維群
５２…第２の繊維群
５５…第１の繊維層
５６…第２の繊維層
５７…第３の繊維層
５９…繊維群
６１…第１の縦糸
６２…第２の縦糸
６３…第３の縦糸
６５、６６、７５、７６…一部
７１…第１の横糸
７２…第２の横糸
７３…第３の横糸
尚、各図中同一符号は同一又は相当部分を示す。
【図１】
2015143409.tif 000003
【図２】
2015143409.tif 000004
【図３】
2015143409.tif 000005
【図４】
2015143409.tif 000006
【図５】
2015143409.tif 000007
【図６】
2015143409.tif 000008
【図７】
2015143409.tif 000009
【図８】
2015143409.tif 000010
【図９】
2015143409.tif 000011
【図１０】
2015143409.tif 000012
【図１１】
2015143409.tif 000013
【図１２】
2015143409.tif 000014
【図１３】
2015143409.tif 000015
【図１４】
2015143409.tif 000016
【図１５】
2015143409.tif 000017
【手続補正書】
【提出日】平成27年4月23日(2015.4.23)
【手続補正１】
【補正対象書類名】明細書
【補正対象項目名】全文
【補正方法】変更
【補正の内容】
【発明の詳細な説明】
【技術分野】
【０００１】
この発明は貯蔵倉庫用シート及び貯蔵倉庫に関し、特に、爆発危険性を有する火薬類等を貯蔵するための貯蔵倉庫の爆発時の補強に用いられる貯蔵倉庫用シート及びこれにより補強された貯蔵倉庫に関するものである。
【背景技術】
【０００２】
従来の火薬類等を貯蔵するための貯蔵倉庫は、コンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
更に、特許文献１と同様に複数の密封式のチューブ群等を用いて、底部となるベース枠、屋根構造及び端壁構造よりなるエヤテント型の貯蔵倉庫が提案されている（特許文献２）。
【先行技術文献】
【特許文献】
【０００４】
【特許文献１】特公平６−２３５１８号公報
【特許文献２】実公昭６２−１９７９４号公報
【発明の概要】
【発明が解決しようとする課題】
【０００５】
上記のような従来のコンクリート製の構造体の貯蔵倉庫では、火薬類が爆発したとき、構造体の破片が飛散したり、爆風圧が拡散する虞がある。
【０００６】
又、特許文献１及び特許文献２の貯蔵倉庫では、コンクリート片の飛散等は無いものの構造が複雑であり、施工性、汎用性が高いとは言えない。
【０００７】
この発明は、上記のような課題を解決するためになされたもので、火薬を貯蔵する倉庫本体の爆発時における爆発片の飛散や爆風圧の拡散を抑制する貯蔵倉庫用シート及び貯蔵倉庫を提供することを目的とする。
【課題を解決するための手段】
【０００８】
上記の目的を達成するために、請求項１記載の発明は、火薬の貯蔵倉庫の爆発時の補強に用いられる貯蔵倉庫用シートであって、所定平面上において第１の方向に配列された第１の繊維群と、所定平面上において第１の方向に対して鋭角に交差する第２の方向に配列され、第１の繊維群に織りこまれた第２の繊維群とを備え、火薬の爆発時に、所定平面上において、第１の方向と平行に設定された第１の特定方向及びこれに直交する第２の特定方向の内、第２の特定方向においてのみ伸びるように設定され、第２の特定方向に力が加わった時、第１の繊維群の繊維間の距離と第２の繊維群の繊維間の距離とが変化する配列構造を有するものである。
【０００９】
このように構成すると、少なくとも一方の特定方向が伸びるように織りこみ状態が変化する。
【００１０】
請求項２記載の発明は、請求項１記載の発明の構成において、第１の繊維群及び第２の繊維群は、ゴムシート体に埋設されるものである。
【００１１】
このように構成すると、遮水効果も付与される。
【００１２】
請求項３記載の発明は、火薬を貯蔵するための貯蔵倉庫であって、火薬の爆発時に所定方向又は所定方向に直交する方向に大きな爆発力が生じるような用途に設置された倉庫本体と、倉庫本体の外方を覆って爆発時の補強とし、所定方向及び直交する方向よりなる平面をその面内の一部とする貯蔵倉庫用シートとを備え、貯蔵倉庫用シートは、面内の一部において、所定方向に対して４５°傾斜した第１の方向に配列された第１の繊維群と、面内の一部において、第１の方向に対して直交する第２の方向に配列され、第１の繊維群に織りこまれた第２の繊維群とを含むと共に、火薬の爆発時に所定方向及び直交する方向のいずれかの特定方向に力が加わった時、第１の繊維群と第２の繊維群との織りこみ状態が変化して特定方向に伸びるように変化するものである。
【００１３】
このように構成すると、所定方向及び直交する方向のいずれかの特定方向に力が加わった時、特定方向に伸びる。
【００１４】
請求項４記載の発明は、請求項３記載の発明の構成において、第１の繊維群及び第２の繊維群は、ゴムシート体に埋設されるものである。
【００１５】
このように構成すると、遮水効果も付与される。
【００１６】
【００１７】
【００１８】
【００１９】
【００２０】
【００２１】
【発明の効果】
【００２２】
以上説明したように、請求項１記載の発明は、少なくとも一方の特定方向が伸びるように第１の繊維群の繊維間の距離と第２の繊維群の繊維間の距離とが変化するため、爆発力が伸びによって吸収される。
【００２３】
請求項２記載の発明は、請求項１記載の発明の効果に加えて、遮水効果も付与されるため、遮水シートを別途設ける必要が無くなり、コスト的に有利となる。
【００２４】
請求項３記載の発明は、所定方向及び直交する方向のいずれかの特定方向に力が加わった時、特定方向に伸びるため、火薬の爆発時に所定方向又は所定方向に直交する方向に大きな爆発力が生じるような用途に応じて効率的な使用が可能になる。
【００２５】
請求項４記載の発明は、請求項３記載の発明の効果に加えて、遮水効果も付与されるため、遮水シートを別途設ける必要が無くなり、コスト的に有利となる。
【００２６】
【００２７】
【００２８】
【図面の簡単な説明】
【００２９】
【図１】この発明の第１の実施の形態による貯蔵倉庫用シートを用いた貯蔵倉庫の外観形状を示す平面図である。
【図２】図１で示したＩＩ−ＩＩラインの断面図である。
【図３】図２で示したＩＩＩ−ＩＩＩラインから見た第２シート体の拡大平面図である。
【図４】図３で示した第２シート体に対して引張力が生じた場合の第１の繊維群と第２の繊維群との織りこみ状態の変化を示す図である。
【図５】この発明の第２の実施の形態による貯蔵倉庫用シートの平面図である。
【図６】図５で示した第２シート体に対して引張力が生じた場合の織りこみ状態の変化を示す図である。
【図７】この発明の第３の実施の形態による貯蔵倉庫用シートの概略断面図である。
【図８】図７で示した第２シート体に対して引張力が生じた場合の織りこみ状態の変化を示す図である。
【図９】図２で示した貯蔵倉庫用シートを用いた他の貯蔵倉庫の概略断面図である。
【図１０】図２で示した貯蔵倉庫用シートを用いた更に他の貯蔵倉庫の概略断面図である。
【図１１】この発明の第４の実施の形態による貯蔵倉庫用シートを用いた貯蔵倉庫の概略断面図である。
【図１２】図１１で示したＸＩＩ−ＸＩＩラインから見た貯蔵倉庫用シートの拡大平面図である。
【図１３】図１２で示したＸＩＩＩ−ＸＩＩＩラインの断面図である。
【図１４】この発明の第５の実施の形態による貯蔵倉庫用シートの平面図である。
【図１５】図１２で示した貯蔵倉庫用シートを用いた他の貯蔵倉庫の概略断面図である。
【発明を実施するための形態】
【００３０】
図１はこの発明の第１の実施の形態による貯蔵倉庫用シートを用いた貯蔵倉庫の外観形状を示す平面図であり、図２は図１で示したＩＩ−ＩＩラインの断面図である。
【００３１】
これらの図を参照して、貯蔵倉庫１１の中心となる、火薬類等が貯蔵されている倉庫本体１９は、地面である設置面７上に設置されている。倉庫本体１９は、その材質は限定しないが、以下に述べるようなその外面に設置する構造体等を保持できるような強度を有する構造であれば良い。
【００３２】
倉庫本体１９の外面であって設置面７より上の面が第１土層３１で覆われており、その外面が第１シート体２１によって覆われている。第１シート体２１は総ゴム製の遮水シートが用いられており、第１シート体２１の内方側に位置する倉庫本体１９及び第１土層３１への雨水等の浸入を阻止する遮水機能を有している。
【００３３】
又、第１シート体２１の外面は第２土層３２で覆われており、その外面が貯蔵倉庫用シートである第２シート体２２によって覆われている。更に、第２シート体２２の外面は第３土層３３で覆われている。第２シート体２２は織布よりなる補強用シートが用いられており、倉庫本体１９の爆発時における第２土層３２の飛散を抑えるように、その網目間隔、繊維強度及び後述する織りこみ構造の変化による伸び具合等が決定されている。即ち、第２シート体２２は爆発抑制機能を有している。尚、第２シート体２２の具体的な構造については後述する。
【００３４】
又、第２シート体２２の設置面７側の端部となる平坦部４１ａ、４１ｂの各々は、固定手段の一例となるアンカーボルト等の複数の固定部材４２ａ、４２ｂによって長手方向（図２の貫通方向）に連続的に設置面７に固定されている。平坦部４１ａ、４１ｂの幅や強度及び固定部材４２ａ、４２ｂの設置間隔は、爆風圧の大きさによって設定すれば良い。
【００３５】
次に、この貯蔵倉庫１１における安全性について説明する。
【００３６】
倉庫本体１９に収納されている火薬類がなんらかの原因で爆発すると、周囲にその破片が飛散したり爆風が拡散する。しかし、倉庫本体１９の設置面７より上の周囲は第２シート体２２で覆われているため、破片や爆風は第２シート体２２により抑制される。又、第２シート体２２は倉庫本体１９の外方を覆うと共に、その平坦部４１ａ、４１ｂが設置面７に固定されているため、第２シート体２２は爆風等によって捲りあがることが無い。その結果、第２シート体２２が破損しない状態では、倉庫本体１９を包囲した第２シート体２２に伝達された爆風等の外部への拡散が抑制されるため、周囲の安全性が向上する。尚、設置面７の方向に拡散した爆風は地面に吸収され、設置面７より上の周囲に影響を与えることは無い。
【００３７】
尚、第１シート体２１も倉庫本体１９を包囲するように設置されているが、第１シート体２１はあくまで遮水機能としての役割を果たすものである。従って、倉庫本体１９の爆発を抑制する機能を有する必要は無く、爆風等によって外部に拡散する虞がある強度であっても良い。
【００３８】
又、第１シート体２１は遮水性を有しているため、第１シート体２１の内方側に位置する倉庫本体１９及び第１土層３１に雨水等が浸透することは無い。従って、倉庫本体１９内の火薬類の湿潤が防止される。更に、第１土層３１内の含水率が維持される。即ち、第１土層３１の粘性が保持されるため、第１土層３１の崩壊が防止される。
【００３９】
このように、貯蔵倉庫１１においては、第１シート体２１と第２シート体２２とが遮水機能と爆発抑制機能とを分担している。従って、例えばゴムシートの内部に織布を埋設したような、遮水機能と爆発抑制機能とが一体化したシート体を１枚用いる貯蔵倉庫の場合に比べて、効率的な配置が可能となる。即ち、各々の機能を要する範囲に第１シート体２１と第２シート体２２とを設置すれば良いため、第１シート体２１と第２シート体２２との設置範囲に無駄が無くなる。
【００４０】
又、第２シート体２２の外面が第３土層３３によって覆われているため、第２シート体２２の設置状態が安定すると共に、倉庫本体１９の爆発によって伝達された爆風等による第２シート体２２の浮き上がりが、第３土層３３によって確実に防止されることになる。従って、第２シート体２２の爆発抑制機能が更に向上し、貯蔵倉庫１１の信頼性が向上する。
【００４１】
尚、第１土層３１、第２土層３２及び第３土層３３の土の種類や施工厚さは、倉庫本体１９内に貯蔵される火薬類の爆発力による第２シート体２２への影響などに応じて、種々の構造に決定すれば良い。
【００４２】
又、このような貯蔵倉庫１１は、図２の二点鎖線で示すように、地下に設置される貯蔵倉庫１１に対しても同様に適用することができる。以下に、上述した地上に設置される貯蔵倉庫１１と相違する点を中心に説明する。
【００４３】
図２を参照して、倉庫本体１９は、地面５を掘削して形成された掘削底面である設置面７上に設置されている。又、第２シート体２２の外面は、その上面が地面５に整列した第３土層３３によって覆われている。即ち、掘削側面４４ａ、４４ｂを含め掘削部分の残りが全て第３土層３３で埋められることになる。尚、このような第３土層３３を第２シート体２２の固定手段とし、第２シート体２２の平坦部４１ａ、４１ｂを設置面７上に固定しても良い。その場合、上述したアンカーボルト等の固定部材４２ａ、４２ｂは無くても良い。又は、第３土層３３と固定部材４２ａ、４２ｂとを併せて固定手段として使用しても良い。
【００４４】
尚、このような地下に設置される貯蔵倉庫１１における効果については、上述した地上に設置される貯蔵倉庫１１と同様であることは言うまでも無い。
【００４５】
次に、第２シート体２２の構造について説明する。
【００４６】
図３は図２で示したＩＩＩ−ＩＩＩラインから見た第２シート体の拡大平面図である。
【００４７】
図を参照して、第２シート体２２は、所定平面上（図の紙面上）において上下方向に設定される第１の方向に配列された、第１の繊維４７ａ〜４７ｎよりなる第１の繊維群５１と、所定平面上において第１の方向に対して角度θ１に交差する第２の方向に配列され、第１の繊維群５１に織りこまれた第２の繊維４８ａ〜４８ｎよりなる第２の繊維群５２とから構成されている。尚、この実施の形態においては、θ１は４５°となるように設定されているが、θ１は鋭角となるように設定されていれば良い。
【００４８】
このように構成された第２シート体２２においては、上述した第１の方向と平行に設定された第１の特定方向Ｙに伸びる力が加わった場合、第１の繊維群５１がその配列方向である第１の方向に引っ張られることになる。従って、第２シート体２２は第１の繊維群５１が有する第１の繊維４７ａ〜４７ｎの素材自体による伸びを除いては、第１の特定方向Ｙに伸びることは無い。
【００４９】
一方、第１の特定方向Ｙに直交する第２の特定方向Ｘに伸びる力が加わった場合、第２シート体２２はその第１の繊維群５１と第２の繊維群５２との織りこみ状態が変化することで、第２の特定方向Ｘに伸びるように設定されている。このような第１の繊維群５１と第２の繊維群５２との織りこみ状態の変化について、以下に説明する。
【００５０】
図４は図３で示した第２シート体に対して引張力が生じた場合の第１の繊維群と第２の繊維群との織りこみ状態の変化を示す図であって、（１）は通常状態を示すものであり、（２）は第２の特定方向に力が加わった状態を示すものである。
【００５１】
まず（１）を参照して、通常状態の第２シート体２２においては、図３で示した通り、第１の繊維群５１に対して第２の繊維群５２が角度θ１に交差して織りこまれている。そして、θ１は４５°となるように設定されている。
【００５２】
又、通常状態における第１の繊維群５１の第１の繊維４７ａ〜４７ｎの各々の第２の特定方向Ｘの間隔はＷ１である。更に、隣接する第１の繊維４７ａ〜４７ｎと交差する範囲における第２の繊維４８ａ〜４８ｎの各々の長さはＬ１である。従って、第１の繊維４７ａ〜４７ｎの各々の第２の特定方向Ｘの間隔Ｗ１は、
Ｗ１＝Ｌ１・ｓｉｎθ１・・・・・・・・・・（１）
と表すことができる。
【００５３】
そして、第２シート体２２の所定範囲における第２の特定方向Ｘの長さをＡ１、第１の特定方向Ｙの長さをＢ１とする。
【００５４】
このような通常状態から、第２シート体２２に対して第２の特定方向Ｘに伸びるように力が加わると、（２）で示す状態となる。
【００５５】
次に（２）を参照して、図の矢印で示すように第２の特定方向Ｘに力が加えられた第２シート体２２は、第１の繊維群５１と第２の繊維群５２との織りこみ状態が変化することで、第２の特定方向Ｘに伸びた状態となる。
【００５６】
具体的には、第２の繊維群５２は、通常状態において第１の繊維群５１に対して角度θ１に交差していた状態から、上述した第２の繊維４８ａ〜４８ｎの各々の一部の長さＬ１は変わらずに、その傾きが第２の特定方向Ｘに近づくように変化する。即ち、第２の繊維群５２は第１の繊維群５１に対して角度θ１より大きな角度θ２に交差する状態となる。
【００５７】
すると、第１の繊維４７ａ〜４７ｎの各々の第２の特定方向Ｘの間隔Ｗ２は、
Ｗ２＝Ｌ１・ｓｉｎθ２・・・・・・・・・・（２）
となる。
【００５８】
上述した通り、角度θ２は通常状態の角度θ１より大きく、角度θ１及び角度θ２は共に鋭角であるため、ｓｉｎθ２はｓｉｎθ１より大きな値となる。この条件を（１）式及び（２）式に当て嵌めると、
Ｗ２＞Ｗ１・・・・・・・・・・（３）
となる。
【００５９】
つまり、第１の繊維群５１の第１の繊維４７ａ〜４７ｎの各々の第２の特定方向Ｘの間隔が、（１）で示す通常状態の間隔Ｗ１より長い間隔Ｗ２となるように拡大することが可能となる。そして、第１の繊維群５１の第１の繊維４７ａ〜４７ｎの各々の間隔Ｗ２が拡大することによって、第２シート体２２の所定範囲の第２の特定方向Ｘの長さＡ２も拡大する。このような織りこみ状態の変化によって、第２シート体２２は第２の特定方向Ｘに伸びることになる。従って、火薬等が貯蔵される倉庫本体からの爆発力が第２シート体２２の第２の特定方向Ｘへの伸びによって吸収されることになるため、第２シート体２２が破断し難くなり、その爆発抑制機能が向上する。
【００６０】
尚、（２）で示す状態においては、第１の特定方向Ｙに配列された第１の繊維群５１の第１の繊維４７ａ〜４７ｎの各々は、その間隔Ｗ２のみに影響を受けることになり、第１の特定方向Ｙに対しては影響を受けることが無い。従って、第２シート体２２の所定範囲の第１の特定方向Ｙの長さＢ１は通常状態から変化しない。即ち、第２シート体２２は第１の特定方向Ｙには伸びず、第２の特定方向Ｘにのみ伸びることになる。従って、第２シート体２２の伸びる方向が第２の特定方向Ｘに限定されるため、貯蔵倉庫を設置する現場の種々の用途に応じた使い勝手が良くなる。
【００６１】
図５はこの発明の第２の実施の形態による貯蔵倉庫用シートの平面図であって、第１の実施の形態の図３に対応するものである。
【００６２】
尚、この実施の形態による貯蔵倉庫用シートである第２シート体２３を備える貯蔵倉庫にあっては、図２で示す貯蔵倉庫の第２シート体の構造を除いては同一であるため、ここでは第２シート体２３を中心に説明する。
【００６３】
図を参照して、この実施の形態による第２シート体２３は、所定平面上（図の紙面上）において第１の特定方向Ｙに対して４５°傾斜する第１の方向に配列された、第１の繊維４７ａ〜４７ｎよりなる第１の繊維群５１と、所定平面上において第１の方向に対して直交状態に交差する第２の方向に配列され、第１の繊維群５１に織りこまれた第２の繊維４８ａ〜４８ｎよりなる第２の繊維群５２とから構成されている。
【００６４】
このように構成された第２シート体２３における第１の繊維群５１と第２の繊維群５２との織りこみ状態の変化がもたらす第２シート体２３の伸びについて、以下に説明する。
【００６５】
図６は図５で示した第２シート体に対して引張力が生じた場合の織りこみ状態の変化を示す図であって、（１）は通常状態を示すものであり、（２）は第２の特定方向に力が加わった状態を示すものである。
【００６６】
まず（１）を参照して、通常状態の第２シート体２３においては、図５で示した通り、第１の繊維群５１の第１の繊維４７ａ〜４７ｎは、第１の特定方向Ｙに対して４５°傾斜するように配列されている。更に、第１の繊維群５１に対して第２の繊維群５２が直交状態に交差して織りこまれている。即ち、図で示す角度θ１は９０°となるように設定されている。
【００６７】
又、通常状態における第１の繊維群５１の第１の繊維４７ａ〜４７ｎの各々における第２の特定方向Ｘの間隔はＷ１であり、第１の特定方向Ｙの間隔はＨ１である。更に、隣接する第１の繊維４７ａ〜４７ｎと交差する範囲における第２の繊維４８ａ〜４８ｎの各々の長さはＬ１である。
【００６８】
従って、第１の繊維４７ａ〜４７ｎの各々の第２の特定方向Ｘの間隔Ｗ１は、
Ｗ１＝２Ｌ１・ｃｏｓ（θ１／２）・・・・・・・・・・（４）
と表すことができる。
【００６９】
更に、第１の繊維４７ａ〜４７ｎの各々の第１の特定方向Ｙの間隔Ｈ１は、
Ｈ１＝２Ｌ１・ｓｉｎ（θ１／２）・・・・・・・・・・（５）
と表すことができる。
【００７０】
そして、第２シート体２３の所定範囲における第２の特定方向Ｘの長さをＡ１、第１の特定方向Ｙの長さをＢ１とする。
【００７１】
このような通常状態から、第２シート体２３に対して第２の特定方向Ｘに伸びるような力が加わると、（２）で示す状態となる。
【００７２】
次に（２）を参照して、図の矢印で示すように第２の特定方向Ｘに力が加えられた第２シート体２３は、第１の繊維群５１と第２の繊維群５２との織りこみ状態が変化することで、第２の特定方向Ｘに伸びた状態となる。
【００７３】
具体的には、第１の繊維群５１は、通常状態において第１の特定方向Ｙに４５°傾斜して配列された状態から、上述した第２の繊維４８ａ〜４８ｎの各々の一部の長さＬ１は変わらずに、その傾きが第２の特定方向Ｘに近づくように変化する。尚、第２の繊維群５２の第２の繊維４８ａ〜４８ｎにおいても、第２の特定方向Ｘに近づくように第１の繊維４７ａ〜４７ｎに対してその傾きが対称的に変化する。即ち、第２の繊維群５２は第１の繊維群５１に対して角度θ１より小さな角度θ２に交差する状態となる。
【００７４】
すると、第１の繊維４７ａ〜４７ｎの各々の第２の特定方向Ｘの間隔Ｗ２は、
Ｗ２＝２Ｌ１・ｃｏｓ（θ２／２）・・・・・・・・・・（６）
となる。
【００７５】
更に、第１の繊維４７ａ〜４７ｎの各々の第１の特定方向Ｙの間隔Ｈ２は、
Ｈ２＝２Ｌ１・ｓｉｎ（θ２／２）・・・・・・・・・・（７）
となる。
【００７６】
上述した通り、角度θ２は通常状態の角度θ１より小さく、角度θ１／２及び角度θ２／２は共に鋭角であるため、ｃｏｓ（θ２／２）はｃｏｓ（θ１／２）より大きな値になると共に、ｓｉｎ（θ２／２）はｓｉｎ（θ１／２）より小さな値になる。そして、この条件を（４）式及び（６）式に当て嵌めると、
Ｗ２＞Ｗ１・・・・・・・・・・（８）
となる。更に、上述した条件を（５）式及び（７）式に当て嵌めると、
Ｈ１＞Ｈ２・・・・・・・・・・（９）
となる。
【００７７】
つまり、第１の繊維群５１の第１の繊維４７ａ〜４７ｎにおける各々の第２の特定方向Ｘの間隔Ｗ２は、（１）で示す通常状態の間隔Ｗ１より長くなる。従って、第１の繊維群５１の第１の繊維４７ａ〜４７ｎにおける各々の間隔Ｗ２が拡大することによって、第２シート体２２の所定範囲の第２の特定方向Ｘの長さＡ２が拡大することになる。このような織りこみ状態の変化によって、第２シート体２２が第２の特定方向Ｘに伸びることになるため、第２シート体２２の爆発抑制機能が向上する。
【００７８】
そして、これと同時に第１の繊維群５１の第１の繊維４７ａ〜４７ｎにおける各々の第１の特定方向Ｙの間隔Ｈ２は、（１）で示す通常状態の間隔Ｈ１より短くなる。従って、第２シート体２２の所定範囲の第１の特定方向Ｙの長さＢ２が縮むことになる。
【００７９】
更に、第２シート体２３においては、第１の特定方向Ｙに力が加わった場合であっても、上述した第２の特定方向Ｘに力が加わった時と同様にその織りこみ状態が変化することになる。即ち、第２シート体２３は第１の特定方向Ｙ又は第２の特定方向Ｘのいずれにも伸びるため、貯蔵倉庫を設置する現場の種々の用途に応じて効率的な使用が可能になる。
【００８０】
図７はこの発明の第３の実施の形態による貯蔵倉庫用シートの概略断面図であって、第１の実施の形態の図２の拡大図に対応するものである。
【００８１】
尚、この実施の形態による貯蔵倉庫用シートである第２シート体２４を備える貯蔵倉庫にあっては、図２で示す貯蔵倉庫の第２シート体の構造を除いては同一であるため、ここでは第２シート体２４を中心に説明する。
【００８２】
図を参照して、この実施の形態による第２シート体２４は、所定平面上（図の水平面）において所定方向Ｘに配列された複数の第１の縦糸６１と、第１の縦糸６１に直交状態（図の貫通方向）に交差して織りこまれた複数の第１の横糸７１とからなる第１の繊維層５５を備えている。又、第１の繊維層５５の下方（図の下側）に配置され、所定方向Ｘに配列された複数の第２の縦糸６２と、第２の縦糸６２に直交状態（図の貫通方向）に交差して織りこまれた複数の第２の横糸７２とからなる第２の繊維層５６を備えている。更に、第２の繊維層５６の下方に配置され、所定方向Ｘに配列された複数の第３の縦糸６３と、第３の縦糸６３に直交状態（図の貫通方向）に交差して織りこまれた複数の第３の横糸７３とからなる第３の繊維層５７を備えている。
【００８３】
又、第１の繊維層５５の第１の縦糸６１の一部６５と、第２の繊維層５６の第２の横糸７２の一部７５とが係合している。更に、第３の繊維層５７の第３の縦糸６３の一部６６と、第２の繊維層５６の第２の横糸７２における第１の縦糸６１に係合する一部７５を除く他の一部７６とが係合している。
【００８４】
このように構成された第２シート体２４における織りこみ状態の変化がもたらす所定方向Ｘへの伸びについて、以下に説明する。
【００８５】
図８は図７で示した第２シート体に対して引張力が生じた場合の織りこみ状態の変化を示す図であって、（１）は通常状態を示すものであり、（２）は所定方向に力が加わった状態を示すものである。
【００８６】
まず（１）を参照して、通常状態の第２シート体２４においては、上述した通り、第１の繊維層５５の第１の縦糸６１の一部６５と、第２の繊維層５６の第２の横糸７２の一部７５とが係合している。従って、第１の縦糸６１の一部６５が、第１の横糸７１から第２の横糸７２までの距離Ｄ分だけ下方側に長くなる。第２の横糸７２の他の一部７６と係合する第３の繊維層５７の第３の縦糸６３の一部６６も同様である。
【００８７】
このような通常状態から、第２シート体２４に対して所定方向Ｘに伸びるような力が加わると、（２）で示す状態となる。
【００８８】
次に（２）を参照して、所定方向Ｘに力が加えられた第２シート体２４は、第１の繊維層５５、第２の繊維層５６及び第３の繊維層５７の織りこみ状態が変化することで、所定方向Ｘに伸びた状態となる。
【００８９】
具体的には、（１）で示した第２の横糸７２の一部７５と係合する第１の縦糸６１の一部６５が長くなっているため、所定方向Ｘに加わる力によって図の矢印で示すように上方へと引き上げられる。これに伴って、第１の縦糸６１が所定方向Ｘに伸びることになる。そして、第３の縦糸６３においても、第１の縦糸６１と同様の作用が生じる。すると、第２の繊維層５６の第２の縦糸６２もこれらに追従して所定方向Ｘに伸びることになる。このように、第２シート体２４は所定方向Ｘに伸びやすい構造となるため、倉庫本体の爆発による衝撃の吸収力が向上する。又、上面側に位置する第１の繊維層５５及び下面側に位置する第３の繊維層５７が所定方向Ｘに伸びやすくなるため、爆発による衝撃をより安定して吸収することができる。
【００９０】
尚、このような織りこみ構造は所定方向Ｘを基準として構成されているが、例えば所定方向を図の貫通方向に変更等することで、第２シート体２４は他の所定方向に対して伸びやすい構造となる。又は、異なる二方向を共に基準として、このような織りこみ構造を構成することで、二方向に対して伸びやすくすることができる。
【００９１】
図９は図２で示した貯蔵倉庫用シートを用いた他の貯蔵倉庫の概略断面図であって、図２に対応するものである。
【００９２】
この貯蔵倉庫１２にあっては、第１シート体２１の設置位置及び設置形状を除いては、図２で示した貯蔵倉庫と同一である。即ち、倉庫本体１９の外面は、土層を介さずに直接第１シート体２１に覆われている。
【００９３】
このような貯蔵倉庫１２においては、第１シート体２１で直接倉庫本体１９を遮水することになるため、図２で示した貯蔵倉庫に比べて、第１シート体２１の使用量を抑えることができる。即ち、コスト的に有利な貯蔵倉庫１２となる。
【００９４】
尚、第１シート体２１より外方側の構造については、図２で示した貯蔵倉庫と同一であるため、同様の効果を発揮することは言うまでも無い。
【００９５】
更に、図２で示した貯蔵倉庫と同様、図で示す地上に設置される場合に限らず、貯蔵倉庫１２は地下に設置される場合であっても同様に適用することができる。
【００９６】
図１０は図２で示した貯蔵倉庫用シートを用いた更に他の貯蔵倉庫の概略断面図であって、図２に対応するものである。
【００９７】
この貯蔵倉庫１３にあっては、第２シート体２２の設置形状を除いては、地下に設置される図２で示した貯蔵倉庫と同一である。即ち、第１シート体２１の外面が第２土層３２で覆われており、第２土層３２の上面３８には平面状に設置された第２シート体２２が設置されている。そして、第２シート体２２の上面が第３土層３３によって覆われている。
【００９８】
そして、平面状に設置された第２シート体２２は、その上面が第３土層３３によって覆われているため、爆発時における捲り上がりが防止される。従って、爆発時の第２土層３２の上方への飛散を抑制することができると共に、広範囲に亘る地表面での土層等の飛散を抑制することができる。
【００９９】
図１１はこの発明の第４の実施の形態による貯蔵倉庫用シートを用いた貯蔵倉庫の概略断面図であって、図２に対応するものであり、図１２は図１１で示したＸＩＩ−ＸＩＩラインから見た貯蔵倉庫用シートの拡大平面図であり、図１３は図１２で示したＸＩＩＩ−ＸＩＩＩラインの断面図である。
【０１００】
これらの図を参照して、火薬類等が設置されている倉庫本体１９の外面であって設置面７より上の面が第１土層３１で覆われており、その外面が貯蔵倉庫用シートであるシート体２５によって覆われている。更に、シート体２５の外面が第２土層３２で覆われている。
【０１０１】
シート体２５は、図３で示した第２シート体２２を構成する繊維シートである織布２６がゴムシート体２７に埋設されたものが使用されている。即ち、遮水機能と爆発抑制機能とを併せ持つ一体型のシート体２５となる。又、上述した通り、織布２６は図１２で示す第１の特定方向Ｙには伸びず、第２の特定方向Ｘにのみ伸びるように構成されているため、ゴムシート体２７が持つ弾性機能が阻害される虞が無い。
【０１０２】
又、シート体２５の設置面７側の端部となる平坦部４１ａ、４１ｂの各々は、固定手段の一例となるアンカーボルト等の複数の固定部材４２ａ、４２ｂによって長手方向に連続的に設置面７に固定されている。
【０１０３】
このように、遮水機能と爆発抑制機能とを併せ持つシート体２５によって、図２で示した貯蔵倉庫と同様に、倉庫本体１９及び第１土層３１への雨水等の浸入を防止すると共に、倉庫本体１９の爆発による第１土層３１の飛散を抑制することができる。従って、図２で示した貯蔵倉庫のように遮水機能を有するシート体を別途設ける必要が無くなり、コスト的に有利な貯蔵倉庫１４となる。
【０１０４】
尚、図２で示した貯蔵倉庫と同様、図で示す地上に設置される場合に限らず、貯蔵倉庫１４は地下に設置される場合であっても同様に適用することができる。
【０１０５】
図１４はこの発明の第５の実施の形態による貯蔵倉庫用シートの平面図であって、第４の実施の形態の図１２に対応するものである。
【０１０６】
尚、この実施の形態による貯蔵倉庫用シートであるシート体２８を備える貯蔵倉庫にあっては、図１１で示す貯蔵倉庫のシート体２５の構造を除いては同一であるため、ここではシート体２８の構造を中心に説明する。
【０１０７】
図を参照して、この実施の形態によるシート体２８は、ゴムシート体２７と、繊維４９ａ〜４９ｎの各々が所定方向Ｙに平行に且つ所定間隔Ｗで配置された、ゴムシート体２７に埋設された繊維群５９とから構成されている。このように構成されたシート体２８は、所定方向Ｙに対して直交する方向Ｘに力が加わった場合、繊維群５９の繊維４９ａ〜４９ｎの各々の所定間隔Ｗが拡がるため、ゴムシート体２７の面内において方向Ｘに伸びやすくなる。従って、ゴムシート体２７の弾性機能を阻害する虞が無く、爆発状況に応じて爆発の衝撃を効率的に吸収することが可能となる。
【０１０８】
尚、シート体２８は、例えば繊維４９ａ〜４９ｎが所定方向Ｙに対して４５°に交差するように配置された繊維群５９が埋設されたゴムシート体を、図で示すゴムシート体２７の表面に接着して重ねて一体化する等、埋設された繊維４９ａ〜４９ｎの配置形状が異なる種々のゴムシート体２７を複数枚積層した構造であっても良い。具体的には、複数枚のゴムシート体２７で構成されたシート体２８の平面視における繊維４９ａ〜４９ｎの透視状態が、図３又は図５で示したシート体の繊維配置と同一になるような構造であっても良い。
【０１０９】
図１５は図１２で示した貯蔵倉庫用シートを用いた他の貯蔵倉庫の概略断面図であって、図１１に対応するものである。
【０１１０】
この貯蔵倉庫１５にあっては、シート体２５の設置位置及び設置形状を除いては、図１１で示した貯蔵倉庫と同一である。即ち、倉庫本体１９の外面は、土層を介さずに直接シート体２５に覆われている。
【０１１１】
このような貯蔵倉庫１５においては、シート体２５で直接倉庫本体１９を遮水すると共にその爆発を抑制することになるため、図１１で示した貯蔵倉庫に比べて、シート体２５の使用量を抑えることができる。即ち、コスト的に有利な貯蔵倉庫１５となる。
【０１１２】
尚、図１１で示した貯蔵倉庫と同様、図で示す地上に設置される場合に限らず、貯蔵倉庫１５は地下に設置される場合であっても同様に適用することができる。
【０１１３】
尚、上記の第１及び第２の実施の形態では、第１の繊維群と第２の繊維群とは特定の配列構造で構成されているが、第１の特定方向及び第２の特定方向の内少なくとも一方の特定方向において伸びるように設定され、一方の特定方向に力が加わった時、第１の繊維群と第２の繊維群との織りこみ状態が変化するように構成されていれば、第１の繊維群と第２の繊維群とは他の配列構造であっても良い。
【０１１４】
又、上記の第３の実施の形態では、第２の繊維層の下方に第３の繊維層が配置されているが、第３の繊維層は無くても良い。又は、例えば第３の繊維層と同じ要領で、第３の繊維層の下方に第４の繊維層を配置するように構成しても良い。
【０１１５】
更に、上記の第４の実施の形態では、ゴムシート体には第１の実施の形態による貯蔵倉庫用シートが埋設されているが、ゴムシート体には第２の実施の形態による貯蔵倉庫用シートが埋設されていても良いことは言うまでも無い。
【符号の説明】
【０１１６】
１１〜１５…貯蔵倉庫
２２〜２４…第２シート体
２５、２８…シート体
２７…ゴムシート体
５１…第１の繊維群
５２…第２の繊維群
５５…第１の繊維層
５６…第２の繊維層
５７…第３の繊維層
５９…繊維群
６１…第１の縦糸
６２…第２の縦糸
６３…第３の縦糸
６５、６６、７５、７６…一部
７１…第１の横糸
７２…第２の横糸
７３…第３の横糸
尚、各図中同一符号は同一又は相当部分を示す。
【手続補正２】
【補正対象書類名】特許請求の範囲
【補正対象項目名】全文
【補正方法】変更
【補正の内容】
【特許請求の範囲】
【請求項１】
火薬の貯蔵倉庫の爆発時の補強に用いられる貯蔵倉庫用シートであって、
所定平面上において第１の方向に配列された第１の繊維群と、
前記所定平面上において前記第１の方向に対して鋭角に交差する第２の方向に配列され、前記第１の繊維群に織りこまれた第２の繊維群とを備え、
火薬の爆発時に、前記所定平面上において、前記第１の方向と平行に設定された第１の特定方向及びこれに直交する第２の特定方向の内、前記第２の特定方向においてのみ伸びるように設定され、前記第２の特定方向に力が加わった時、前記第１の繊維群の繊維間の距離と前記第２の繊維群の繊維間の距離とが変化する配列構造を有する、貯蔵倉庫用シート。
【請求項２】
前記第１の繊維群及び前記第２の繊維群は、ゴムシート体に埋設される、請求項１記載の貯蔵倉庫用シート。
【請求項３】
火薬を貯蔵するための貯蔵倉庫であって、
火薬の爆発時に所定方向又は前記所定方向に直交する方向に大きな爆発力が生じるような用途に設置された倉庫本体と、
前記倉庫本体の外方を覆って爆発時の補強とし、前記所定方向及び前記直交する方向よりなる平面をその面内の一部とする貯蔵倉庫用シートとを備え、
前記貯蔵倉庫用シートは、
前記面内の一部において、前記所定方向に対して４５°傾斜した第１の方向に配列された第１の繊維群と、
前記面内の一部において、前記第１の方向に対して直交する第２の方向に配列され、前記第１の繊維群に織りこまれた第２の繊維群とを含むと共に、
火薬の爆発時に前記所定方向及び前記直交する方向のいずれかの特定方向に力が加わった時、前記第１の繊維群と前記第２の繊維群との織りこみ状態が変化して前記特定方向に
伸びるように変化する、貯蔵倉庫。
【請求項４】
前記第１の繊維群及び前記第２の繊維群は、ゴムシート体に埋設される、請求項３記載の貯蔵倉庫。